(57)【特許請求の範囲】
【請求項１】
工作機器での加工により生じた切り屑などの細片を収納するための箱本体と、該箱本体内に設けられる案内板より構成される回収箱において、
前記案内板が、連結具によって上下方向に連結された複数の部材からなると共に、該案内板を直線状態に維持するバネが設けられること、且つ、
前記案内板が、該案内板の一端が前記箱本体の底板に接すると共に、該案内板の他端が前記箱本体の側板に立て掛けて傾斜するように配置されることを特徴とする回収箱。
【請求項２】
前記バネは、一片を案内板に取付けられ、他片を箱本体の底板に接するように設けたことを特徴とする請求項１記載の回収箱。
【請求項３】
前記バネは、前記案内板の連結具に取付けたことを特徴とする請求項１記載の回収箱。
【発明の詳細な説明】
【技術分野】
【０００１】
この発明は、工作機器での加工により生じた切り屑などの細片を収納するための回収箱に関する。
【背景技術】
【０００２】
工作加工時に生じる細片は、大きさ別に分けられ、それぞれの回収箱に集められる。細片は投入孔を通って回収箱に投入されるが、該細片は山形に集積されることになる。特に投入孔が投入箱の中心位置より偏って位置された場合には、細片は偏った位置に集積されることから、反集積側に未収納スペースを残していて、収納量が減少する不都合もあった。
【０００３】
この対策として、図示しないが回収箱の上面にホッパー等を設けて、細片を収納部の中心部に誘導していた。また特許文献１に示す考案が提案されている。この特許文献１には、屑受箱の下方の底部近くに屑に対して上下に撹拌できる撹拌装置を設け、この撹拌装置がペダル１と連動し、このペダル１が踏み込まれると、撹拌ロッド２を上下動して、紙屑の後部を平坦にならして、屑受箱の容量を増加させていた。
【特許文献１】実用新案登録第３１３６９７８号
【発明の開示】
【発明が解決しようとする課題】
【０００４】
前述のホッパー等を設ける場合には、投入孔と回収箱との高低差を十分に確保できないと、ホッパーの配置スペースが取れず、この方法が採用できない場合があった。また特許文献１は、人力により動かさなければならず、部品点数が増加した割には面倒なことであった。
【０００５】
このため、この発明は、投入孔が回収箱の中心になく偏った位置にあっても、投入する細片が偏りなく且つ山形に集積されることなく、回収箱に均一に収納されることを人力のみならず電気手段を用いずとも行わせるようにしたことを目的とする。
【課題を解決するための手段】
【０００６】
この発明に係る回収箱は、箱本体内に、一端を底板に接し、他端を側板に立て掛けて傾斜配置する案内板を設け、この案内板は複数部位に分けられ、この複数部位が連結具により連結されると共に、この案内板を直線状に維持させるバネを案内板に取付けたことにある（請求項１）。これにより、箱本体内に落下する細片は、投入孔が回収箱の中心位から偏った位置にあっても、案内板上を傾斜に沿って転がり落下して集積される。
【０００７】
それから、細片の集積量が増加するにつれて、細片の総重量も増加することから、バネが撓み、案内板は傾斜角を少なくし、連結具から折曲しながら、回収箱の底面方向に動かされ、収納容積を拡大し、細片を集積する。集積初期は案内板も細片には埋もれず、落下する細片は案内板の傾斜に沿って転がり、回収箱に収納される。
【０００８】
更に細片の集積が増加するにつれて、細片の総重量が増加し、バネが更に撓み、案内板はその傾斜角を少なくして更に収納容積を拡大し、細片を集積する。集積後期は案内板が細片に埋もれてしまうが、細片群の積み上げられた上面部にわずかに傾斜が表れているので、投入される細片は転がり、回収箱に収納される。
【０００９】
回収箱に細片が満杯になると、案内板は細片の総重量により、バネが撓み、傾斜角をなくしてしまう。その際に回収箱内に収納の細片群の上面部は完全な平坦とされることになる。
【００１０】
前記バネは、一片を案内板に取付けられ、他片を箱本体の底板に接するように設けるようにしても良い（請求項２）。また前記バネは、前記案内板の連結具に取付けるようにしても良い（請求項３）。これらのバネは適宜選択して使用すれば良く、これにて、案内板に細片が載置されていない状態や少量の状態では、案内板を直線状に維持させる作用を与えている。
【発明の効果】
【００１１】
以上のように、この発明によれば、投入孔が回収箱の位置に関わりなく、細片が偏りなく回収箱に収納できる。そして、用いられる案内板の構成も簡単であり、コスト増とならないすこぶる有用な発明である。
【発明を実施するための最良の形態】
【００１２】
以下、この発明の実施例を図面にもとづいて説明する。
【００１３】
図１において、この発明に係る回収箱１が示され、樹脂、金属、紙などから成る四角形状の箱本体２と、この箱本体２内に収納されている案内板３とより成っている。前記箱本体２は、上面が開口４していて、その開口４から、案内板３が挿入されている。案内板３は、その一端を箱本体２の底板６に接し、他片を側板７に立て掛けられている。
【００１４】
図２ａ，ｂにおいて、案内板３が示され、樹脂、金属、紙などから成る板状のもので、２つの部材３ａ，３ｂとより成り、それらを連結具８により連結されている。この連結具８により連結される部材３ａ，３ｂは、連結具８側へは曲がらず、反転具側へは１８０度折れ曲がることができるように構成されている。それから、下方の部材３ｂには、下記するバネ９が取付けられている。
【００１５】
バネ９は、折曲された板状のバネで、一方の片９ａが案内板３の下方の部材３ｂに固定されている。そして他方の片９ｂは所定の角度θを持って外方へ出っ張っている。
【００１６】
この案内板３は、図１に示すように、箱本体２内にその開口４より挿入すると、先端が箱本体２の底板６に接し、また、後端が箱本体２の側板７に立て掛けられている。したがって、バネ９の体勢力にて案内板３の下方の部材３ｂを上方に押圧するように働き、細片が載置されていない状態や、少量の場合には、案内板３が直線状態に維持されるが、案内板３上に細片の重さが加わると、重さに比例して連結具８を支点として折れ曲がり、もって、案内板３は箱本体２内に徐々に落下する。
【００１７】
図３乃至図６において、この発明の作動例を説明すると、まず図３において、集積始めが示され、工作加工時に生じる細片Ａが一般的な保持箱１１に留められ、それから投入孔１２から順次排出され落下する。投入孔１２は、回収箱１の中心になく偏っていることから、落下する細片Ａは案内板３の上方の部材３ａに当たり、矢印方向に傾斜に沿って転がり、落下して集積される。この場合に細片Ａは少なく案内板３へかかる重量が少ない。したがって案内板３は直線状を維持している。
【００１８】
図４において、細片Ａの集積初期が示され、細片Ａの総重量が増加して、その重量にて、バネ９が撓み、案内板３の傾斜角θを少なくし、連結具８から折曲しながら、回収箱１の底面方向に動き、収容容積を拡大し、細片Ａを集積する。当然ながら、案内板３は細片Ａには埋もれていない。したがって、落下する細片Ａは案内板３の傾斜に沿って転がり、回収箱１に収納される。
【００１９】
図５において、細片Ａの集積後期が示され、細片Ａの総重量が更に増加し、バネ９が更に撓み、案内板３は、その傾斜角θを更に少なくして、収納容積を拡大し、細片Ａを集積する。集積後期は、案内板３が細片Ａに埋もれてしまうが、細片Ａ群の積み上げられた上面部にわずかに傾斜が表れるので、投入された細片Ａは転がり、回収箱１に収納される。
【００２０】
図６において、回収箱１が細片Ａにて満杯となると、案内板３は細片Ａの総重量によりバネ９が更に撓み、傾斜角を少なくしてしまう。その際に回収箱１内に収納の細片Ａ群の積み上げられた上面部は完全な平坦とされることになる。このために、細片Ａが偏りなく回収箱１に収納できることになる。なお、前記した案内板３は２つの部位３ａ，３ｂに分けられているが、３つの部位に分けるようにもでき、それらの部位間に連結具８が設けられることになる。
【００２１】
図７において、案内板３の他の実施例が示され、バネ１３を案内板３の分割された複数部位を連結する連結具８にコイル状のバネ１３を装着させたものである。これによっても、案内板３を直線状に保つことができると共に、案内板３上に細片の重さが加わると、重さに比例して連結具８を支点として折れ曲がる作用を行い、もって案内板３は箱本体２内に徐々に落下することができ、前記実施例と同様な作用効果を得ることができる。
【図面の簡単な説明】
【００２２】
【図１】この発明の回収箱の斜視図である。
【図２】（ａ）は案内板の平面図であり、（ｂ）は案内板の側面図である。
【図３】この発明の作動を示し、細片の集積始めの例の説明図である。
【図４】同上の細片の集積初期を示す説明図である。
【図５】同上の集積後期を示す説明図である。
【図６】同上の細片の満杯を示す説明図である。
【図７】この発明に用いられる案内板の外の例を示す正面図である。
【符号の説明】
【００２３】
１  回収箱
２  箱本体
３  案内板
６  底板
７  側板
８  連結具
９  バネ
１２  投入孔
１３  バネ
Ａ  細片
【図１】
0005207123.tif 000002
【図２】
0005207123.tif 000003
【図３】
0005207123.tif 000004
【図４】
0005207123.tif 000005
【図５】
0005207123.tif 000006
【図６】
0005207123.tif 000007
【図７】
0005207123.tif 000008